(57)【要約】【解決手段】物品Ａの収容凹部１を形成する底部１ａの裏面には、パレットＰのデッキに形成された透孔や凹部ｐ１に嵌合可能な嵌合凸部８を突設するとともに、頂部領域９、１０には、段積みの際に、前記嵌合凸部が嵌合可能な嵌合凹部１１を形成したダネッジＤに関するものである。【効果】パレットに載置されたダネッジの水平方向の移動が阻止され、ダネッジがパレットから、ずれ落ちるようなことが防止できるとともに、上に位置するダネッジが、下に位置するダネッジに対して、水平移動するようなことがなく、従って、上に位置するダネッジの移動により、上に位置するダネッジが、ダネッジに収容されている物品に当接して、物品がダネッジにより損傷するようなことを防止することができる。【選択図】図５
2004161313.tif 000002
【特許請求の範囲】
【請求項１】
物品の収容凹部を形成する底部の裏面には、パレットのデッキに形成された透孔や凹部に嵌合可能な嵌合凸部を突設するとともに、頂部領域には、段積みの際に、前記嵌合凸部が嵌合可能な嵌合凹部を形成したことを特徴とするダネッジ。
【発明の詳細な説明】
【０００１】
【発明の属する技術分野】
本発明は、載置される物品の形状に応じた収容凹部を有する、合成樹脂で一体成形されたダネッジに関するものである。
【０００２】
【従来の技術】
本出願人は、先の出願（特願平１０−１０４００３号（特開平１１−２７８４５３号公報））において、ダネッジの下面に嵌合凸部を突設し、該嵌合凸部を、パレットのデッキに形成されている透孔や凹部に嵌合することにより、ダネッジの水平方向の移動を阻止し、ダネッジがパレットから、ずれ落ちないようにしたダネッジを提案した。
【０００３】
【発明が解決しようとする課題】
上述した先の出願において提案したダネッジにおいては、ダネッジの下面に嵌合凸部を突設したために、ダネッジ同士を段積みした際に、嵌合凸部が段積みの邪魔になるという問題があった。
【０００４】
また、ダネッジ同士を段積みした際に、上に位置するダネッジが、下に位置するダネッジに対して、水平方向に移動し易く、従って、安定した状態でダネッジの段積みができないという問題があった。
【０００５】
本発明の目的は、上述したダネッジが有する課題を解決することにある。
【０００６】
【課題を解決するための手段】
本発明は、上述した目的を達成するために、ダネッジの物品の収容凹部を形成する底部の裏面には、パレットのデッキに形成された透孔や凹部に嵌合可能な嵌合凸部を突設するとともに、頂部領域には、段積みの際に、前記嵌合凸部が嵌合可能な嵌合凹部を形成したものである。
【０００７】
【実施例】
以下に．本発明の実施例について説明するが、本発明の趣旨を越えない限り何ら、本実施例に限定されるものではない。
【０００８】
ダネッジＤには、略方形状の合成樹脂製板材の所定部分を、下方に膨出させることにより、物品が部分的に収容される収容凹部１が、所定数、形成されている。以下においては、一例として、３個の収容凹部１が形成されているダネッジＤを例に説明する。
【０００９】
本実施例においては、略長方形状の合成樹脂製板材の長辺方向に沿って、合成樹脂製板材を、３箇所において、下方に膨出させることにより、３個の収容凹部１が形成されている。収容凹部１は、底部１ａと周側壁１ｂとから形成されており、底部１ａの裏面が、パレットＰに載置されるように構成されている。このように、収容凹部１は、平面形状が略長方形のダネッジＤの相対する長辺２に沿って形成されており、３個の収容凹部１の１つは、ダネッジＤの相対する短辺３の一方の短辺３に接近して形成されており、また、３個の収容凹部１の１つは、ダネッジＤの相対する短辺３のもう一方の短辺３から、収容凹部１の長辺２に沿った開口部の幅ｗ１程度、離れて形成されており、従って、短辺３のもう一方の短辺３と、該もう一方の短辺３側に位置する収容凹部１との間には、収容凹部１の底部１ａが載置される程度の領域（以下、この領域を、収容凹部載置領域という。）４が形成されている。
【００１０】
なお、説明の都合上、便宜的に、上述した３個の収容凹部１のうち、ダネッジＤの相対する短辺３の一方の短辺３に接近して形成された収容凹部を、短辺側収容凹部と称し、符号１Ａを付し、また、ダネッジＤの相対する短辺３のもう一方の短辺３側に、収容凹部載置領域４を介して形成された収容凹部を、載置領域側収容凹部と称し、符号１Ｂを付し、更に、短辺側収容凹部１Ａと載置領域側収容凹部１Ｂとの中央に位置する収容凹部を、中央部収容凹部と称し、符号１Ｃを付す。
【００１１】
下方に膨出した短辺側収容凹部１Ａと中央部収容凹部１Ｃとの間、及び、中央部収容凹部１Ｃと載置領域側収容凹部１Ｂとの間には、収容凹部間空間部５が形成されている。また、ダネッジＤの相対する長辺２及び相対する短辺３には、下方に延在する下延周縁リブ６ａと、該下延周縁リブ６ａの下端から略水平方向に延在する水平周縁リブ６ｂとからなる周縁リブ部６が形成されている。周縁リブ部６のうち、収容凹部載置領域４側に位置する短辺３から下方に延在する周縁リブ部６及び収容凹部載置領域４を挟持するような位置にある、相対する長辺２から下方に延在する周縁リブ部６には、周縁リブ部６を更に下方に延長することにより形成されたスカート部７が形成されている。このような周縁リブ部６及びスカート部７を形成することにより、ダネッジＤの強度及び曲げ剛性を高めることができる。特に、収容凹部載置領域４の三方を囲むように、周縁リブ部６より長いスカート部７を形成することにより、略平板状の収容凹部載置領域４の強度及び曲げ剛性を高めることができ、ひいては、ダネッジＤの強度及び曲げ剛性を高めることができる。また、収容凹部載置領域４の三方を囲むように、スカート部７を形成することにより、後述するように、収容凹部載置領域４の下方に位置する物品の上部を、保護することができる。
【００１２】
中央部収容凹部１Ｃ及び載置領域側収容凹部１Ｂを形成する底部１ａの裏面には、所定数の嵌合凸部８が形成されている。本実施例においては、ダネッジＤの相対する短辺３に沿って、中央部収容凹部１Ｃ及び載置領域側収容凹部１Ｂの底部１ａの裏面中央部に、それぞれ、２個の嵌合凸部８が形成されている。
【００１３】
また、短辺側収容凹部１Ａと中央部収容凹部１Ｃとの間に位置する頂部領域９及び中央部収容凹部１Ｃと載置領域側収容凹部１Ｂとの間に位置する頂部領域１０には、上述した嵌合凸部８が嵌合可能な嵌合凹部１１が形成されている。本実施例においては、ダネッジＤの相対する短辺３に沿って、上述した嵌合凸部８に対応して、短辺側収容凹部１Ａと中央部収容凹部１Ｃとの間に位置する頂部領域９及び中央部収容凹部１Ｃと載置領域側収容凹部１Ｂとの間に位置する頂部領域１０に、それぞれ、２個の嵌合凹部１１が形成されている。なお、頂部領域９、１０は、上述した収容凹部載置領域４と、略面一な水平面として形成されている。
【００１４】
上述したダネッジＤは、一例として、その長辺側の長さが、パレットＰの一辺の長さに略等しく、また、ダネッジＤの短辺側の長さは、パレットＰの一辺の長さの略三分の一の長さに形成されており、従って、上述したダネッジＤは、パレットＰに３個、並設して載置されるように構成されている。
【００１５】
収容凹部１に物品Ａが収容されたダネッジＤを、パレットＰに載置した際には、中央部収容凹部１Ｃ及び載置領域側収容凹部１Ｂを形成する底部１ａの裏面に形成されている嵌合凸部８が、パレットＰのデッキに形成されている透孔や凹部ｐ１に嵌合するように構成されている。従って、パレットＰに載置されたダネッジＤの水平方向の移動が阻止され、ダネッジＤがパレットＰから、ずれ落ちるようなことが防止できる。
【００１６】
パレットＰに載置されたダネッジ（このダネッジを、１段目のダネッジと称し、符号Ｄ１を付す。）Ｄ１の上に、他のダネッジを段積みする際には、段積みするダネッジ（このダネッジを、２段目のダネッジと称し、符号Ｄ２を付す。）を、１段目のダネッジＤ１と同じ向き、即ち、１段目のダネッジＤ１の短辺側収容凹部１Ａの上方に２段目のダネッジＤ２の短辺側収容凹部１Ａが位置し、また、１段目のダネッジＤ１の中央部収容凹部１Ｃの上方に２段目のダネッジＤ２の中央部収容凹部１Ｃが位置し、更に、１段目のダネッジＤ１の載置領域側収容凹部１Ｂの上方に２段目のダネッジＤ２の載置領域側収容凹部１Ｂが位置し、更にまた、１段目のダネッジＤ１の収容凹部載置領域４の上方に２段目のダネッジＤ２の収容凹部載置領域４が位置するように配置した状態から、２段目のダネッジＤ２を、水平面上を１８０度回転させて、１段目のダネッジＤ１に段積みする。すると、１段目のダネッジＤ１の短辺側収容凹部１Ａの上方には、２段目のダネッジＤ２の収容凹部載置領域４が位置し、１段目のダネッジＤ１の短辺側収容凹部１Ａと中央部収容凹部１Ｃとの間に位置する頂部領域９には、２段目のダネッジＤ２の載置領域側収容凹部１Ｂの底部１ａが載置され、１段目のダネッジＤ１の中央部収容凹部１Ｃの上方には、２段目のダネッジＤ２の中央部収容凹部１Ｃと載置領域側収容凹部１Ｂとの間に形成されている収容凹部間空間部５が位置し、１段目のダネッジＤ１の中央部収容凹部１Ｃと載置領域側収容凹部１Ｂとの間に位置する頂部領域１０には、２段目のダネッジＤ２の中央部収容凹部１Ｃの底部１ａが載置され、１段目のダネッジＤ１の載置領域側収容凹部１Ｂの上方には、２段目のダネッジＤ２の短辺側収容凹部１Ａと中央部収容凹部１Ｃとの間に形成されている収容凹部間空間部５が位置し、１段目のダネッジＤ１の収容凹部載置領域４には、２段目のダネッジＤ２の短辺側収容凹部１Ａの底部１ａが載置されるように構成されている。
【００１７】
上述したように、２段目のダネッジＤ２を、１段目のダネッジＤ１と同じ向きに配置した状態から、１段目のダネッジＤ１に対して、水平面上を１８０度回転させて、段積みした際には、１段目のダネッジＤ１の短辺側収容凹部１Ａと中央部収容凹部１Ｃとの間に位置する頂部領域９に形成された嵌合凹部１１には、２段目のダネッジＤ２の載置領域側収容凹部１Ｂの底部１ａの裏面に突設された嵌合凸部８が嵌合されるとともに、１段目のダネッジＤ１の中央部収容凹部１Ｃと載置領域側収容凹部１Ｂとの間に位置する頂部領域１０に形成された嵌合凹部１１には、２段目のダネッジＤ２の中央部収容凹部１Ｃの底部１ａの裏面に突設された嵌合凸部８が嵌合されるように構成されている。
【００１８】
１段目のダネッジＤ１の短辺側収容凹部１Ａにその下部が収容された物品Ａの上部は、２段目のダネッジＤ２の収容凹部載置領域４の下方に位置するスカート部７により三方が囲まれた空間部に収容されることになる。また、１段目のダネッジＤ１の中央部収容凹部１Ｃにその下部が収容された物品Ａの上部は、２段目のダネッジＤ２の中央部収容凹部１Ｃと載置領域側収容凹部１Ｂとの間に形成されている収容凹部間空間部５に収容されることになる。更に、１段目のダネッジＤ１の載置領域側収容凹部１Ｂにその下部が収容された物品Ａの上部は、２段目のダネッジＤ２の短辺側収容凹部１Ａと中央部収容凹部１Ｃとの間に形成されている収容凹部間空間部５に収容されることになる。
【００１９】
上述したように、１段目のダネッジＤ１の短辺側収容凹部１Ａにその下部が収容された物品Ａの上部は、２段目のダネッジＤ２の収容凹部載置領域４の下方に位置するスカート部７により三方が囲まれた空間部に収容されることになるが、収容凹部載置領域４の三方を囲むように、スカート部７が形成されているので、収容凹部載置領域４の下方に位置する物品Ａの上部を、スカート部７により保護することができる。
【００２０】
２段目のダネッジＤ２の上に、更に、ダネッジ（３段目のダネッジ）Ｄ３を、段積みする場合には、上述したと同様に、３段目のダネッジＤ３は、２段目のダネッジＤ２と同じ向きに配置した状態から、２段目のダネッジＤ２に対して、水平面上を１８０度回転させて、段積みすることになる。即ち、３段目のダネッジＤ３の向きは、１段目のダネッジＤ１と同じである。このようにして、順次、必要個数のダネッジＤを段積みする。
【００２１】
上述したように、１段目のダネッジＤ１の収容凹部１を形成する底部１ａの裏面に突設された嵌合凸部８を、パレットＰのデッキに形成された透孔や凹部ｐ１に嵌合するように構成したので、パレットＰに載置された１段目のダネッジＤ１の水平方向の移動が阻止され、１段目のダネッジＤ１及び１段目のダネッジＤ１に段積みされたダネッジＤがパレットＰから、ずれ落ちるようなことが防止できる。
【００２２】
また、ダネッジＤの段積み状態において、下に位置するダネッジＤの所定の収容凹部１間に位置する頂部領域９、１０に形成された嵌合凹部１１に、上に位置するダネッジＤの収容凹部１を形成する底部１ａの裏面に突設された嵌合凸部８を嵌合するように構成したので、上に位置するダネッジＤが、下に位置するダネッジＤに対して、水平移動するようなことがなく、従って、安定した状態で、複数のダネッジＤを段積みすることができる。更に、上に位置するダネッジＤが、下に位置するダネッジＤに対して、水平移動するようなことがないので、上に位置するダネッジＤの移動により、上に位置するダネッジＤが、ダネッジＤに収容されている物品Ａに当接して、物品ＡがダネッジＤにより損傷するようなことを防止することができる。
【００２３】
更にまた、ダネッジＤの収容凹部１を形成する底部１ａの裏面に突設された嵌合凸部８が、パレットＰのデッキに形成された透孔や凹部ｐ１に嵌合するように構成されているとともに、ダネッジＤの段積み状態において、下に位置するダネッジＤの所定の収容凹部１間に位置する頂部領域９、１０に形成された嵌合凹部１１に、上に位置するダネッジＤの収容凹部１を形成する底部１ａの裏面に突設された嵌合凸部８を嵌合するように構成されているので、ダネッジＤの水平方向の移動が阻止され、従って、安定した状態で、複数のダネッジＤを、パレットＰに段積みすることができる。
【００２４】
上述したようにして、複数のダネッジＤをパレットＰに段積みした後、一番上に位置するダネッジＤには、蓋部材Ｒを載置し、その後、バンドＢを、パレットＰのフォーク挿入孔ｐ２に挿通するとともに、蓋部材Ｒに形成された凹部ｒ１に挿入して、パレットＰとダネッジＤと蓋部材ＲとをバンドＢにより緊諦する。なお、蓋部材Ｒの裏面には、一番上に位置するダネッジＤの頂部領域９、１０に形成された嵌合凹部１１に嵌合可能な嵌合凸部ｒ２を突設することにより、一番上に位置するダネッジＤに対する蓋部材Ｒの水平移動を阻止するように構成することもできる。
【００２５】
なお、上述した実施例には、パレットＰに３個のダネッジＤが載置されている例が示されているが、ダネッジＤを、パレットＰのデッキと同じ大きさに形成し、パレットＰに１個のダネッジＤを載置するように構成することも、或いは、ダネッジＤを、パレットＰのデッキの略半分の大きさに形成し、パレットＰに２個のダネッジＤを載置するように構成することも、更には、４個以上のダネッジＤを、パレットＰに載置するように構成することもできる。
【００２６】
【発明の効果】
本発明は、以上説明したように構成されているので、以下に記載するような効果を奏するものである。
【００２７】
物品の収容凹部を形成する底部の裏面には、パレットのデッキに形成された透孔や凹部に嵌合可能な嵌合凸部を突設するとともに、頂部領域には、段積みの際に、前記嵌合凸部が嵌合可能な嵌合凹部を形成したので、パレットに載置されたダネッジの水平方向の移動が阻止され、ダネッジがパレットから、ずれ落ちるようなことが防止できるとともに、上に位置するダネッジが、下に位置するダネッジに対して、水平移動するようなことがなく、従って、上に位置するダネッジの移動により、上に位置するダネッジが、ダネッジに収容されている物品に当接して、物品がダネッジにより損傷するようなことを防止することができる。
【００２８】
ダネッジの段積み状態において、下に位置するダネッジの頂部領域に形成された嵌合凹部に、上に位置するダネッジの収容凹部を形成する底部の裏面に突設された嵌合凸部を嵌合するように構成されているので、ダネッジの水平方向の移動が阻止され、従って、安定した状態で、多数のダネッジを、パレットに段積みすることができる。
【図面の簡単な説明】
【図１】図１は本発明の一例としてのダネッジの斜視図である。
【図２】図２は図１に示されているダネッジの長辺に沿った垂直断面図である。
【図３】図３は図１に示されているダネッジとパレットの斜視図である。
【図４】図４は図１に示されているダネッジが３段にパレットに載置された状態の分解斜視図である。
【図５】図５は図１に示されているダネッジが３段にパレットに載置された状態の垂直断面図である。
【符号の説明】
Ａ・・・・・・・・・・・・物品
Ｄ・・・・・・・・・・・・ダネッジ
Ｐ・・・・・・・・・・・・パレット
１・・・・・・・・・・・・収容凹部
４・・・・・・・・・・・・収容凹部載置領域
５・・・・・・・・・・・・収容凹部間空間部
６・・・・・・・・・・・・周縁リブ部
７・・・・・・・・・・・・スカート部
８・・・・・・・・・・・・嵌合凸部
９、１０・・・・・・・・・頂部領域
１１・・・・・・・・・・・嵌合凹部
【図１】
2004161313.tif 000003
【図２】
2004161313.tif 000004
【図３】
2004161313.tif 000005
【図４】
2004161313.tif 000006
【図５】
2004161313.tif 000007